(57)【要約】  【課題】  収納筒内に収納される複数の軸体の中から選択された軸体を前進させてその軸体の先端を収納筒の先端から突出させた使用可能状態と、すべての軸体の先端を収納筒内に収納する収納状態とに切り替え可能な複合軸体保持具において、使用可能状態と収納状態との間で軸体が切り替えられるときに、他の軸体との干渉を避けるようにする。  【解決手段】  収納筒１２には、それぞれの軸体２０の先端を互いに分離して使用可能状態と収納状態との間で軸体２０を前後に誘導するガイド部１２ａが設けられる。ガイド部１２ａは一直線状に設けられ、その先端が軸体２０の先端が突出可能な開口１２ｂとなる。【選択図】  図２
2005246871.tif 000002
【特許請求の範囲】
【請求項１】
繰出し操作することにより、収納筒内に収納される複数の軸体の中から選択された軸体を前進させてその軸体の先端を収納筒の先端から突出させた使用可能状態と、すべての軸体の先端を収納筒内に収納する収納状態とに切り替え可能な複合軸体保持具において、
収納筒内には、それぞれの軸体の先端を使用可能状態と収納状態との間で軸体を前後に誘導するガイド部が設けられることを特徴とする複合軸体保持具。
【請求項２】
繰出し操作することにより、収納筒内に収納される複数の軸体の中から選択された軸体を前進させてその軸体の先端を収納筒の先端から突出させた使用可能状態と、すべての軸体の先端を収納筒内に収納する収納状態とに切り替え可能な複合軸体保持具において、
収納筒内には、それぞれの軸体を使用可能状態と収納状態との間で前後に一直線上に誘導するガイド部が設けられることを特徴とする複合軸体保持具。
【請求項３】
前記ガイド部は、収納筒内に収納された複数の軸体同士の間に設けられることを特徴とする請求項１または２記載の複合軸体保持具。
【請求項４】
収納筒の先端には、それぞれの軸体の先端が突出するための開口がそれぞれ形成されることを特徴とする請求項１ないし３のいずれか１項に記載の複合軸体保持具。
【請求項５】
前記開口は、前記収納筒の軸心から偏心した位置に配置されることを特徴とする請求項４記載の複合軸体保持具。
【請求項６】
前記収納筒のガイド部が設けられた少なくとも一部の横断面の外輪郭形状は、非円形形状であることを特徴とする請求項１ないし５のいずれか１項に記載の複合軸体保持具。
【請求項７】
前記ガイド部には、軸体の使用可能状態において、前記軸体のそれ以上の前進を阻止する前進阻止部が設けられることを特徴とする請求項１ないし６のいずれか１項に記載の複合軸体保持具。
【発明の詳細な説明】
【技術分野】
【０００１】
本発明は、繰出し操作することにより、収納筒内に収納される複数の軸体の中から選択された軸体を前進させてその軸体の先端を収納筒の先端から突出させた使用可能状態と、すべての軸体の先端を収納筒内に収納する収納状態とに切り替え可能な複合軸体保持具に関する。
【背景技術】
【０００２】
従来、この種の複合軸体保持具としては、特許文献１、２、３及び４に記載されたものが知られている。これらの文献に記載されたものは、概略、前部外筒に対して後部外筒を回転することにより、前部外筒内に収納される複数の軸体の中から選択された軸体を前進させてその軸体の先端を前部外筒の先端から突出させた使用可能状態と、すべての軸体の先端を前部外筒内に収納する収納状態とに切り替え可能となっている。
【０００３】
軸体は、前部外筒の中で交互に前後に移動するために、その切り替え時に、互いに接触するか、または前部外筒の内周面に接触するおそれがあり、それによって、他の軸体や前部外筒の内周面にその軸体が含む材料の一部が移行し、他の軸体にもその材料が移行して、色移りなどを起こすおそれがある。または、上記接触により、軸体自体が損傷を受けるおそれもある。
【０００４】
【特許文献１】特公平６−３０９９３号公報
【特許文献２】実開平４−１１３９８９号公報
【特許文献３】実開平４−１２８８８７号公報
【特許文献４】実用新案登録第２５０５４３７号公報
【発明の開示】
【発明が解決しようとする課題】
【０００５】
本発明はかかる課題に鑑みなされたもので、その目的は、使用可能状態と収納状態との間で軸体が切り替えられるときに、他の軸体との干渉を避けることができる複合軸体保持具を提供することである。また、他の目的は、軸体自体に損傷を与えるおそれの少ない複合軸体保持具を提供することである。
【課題を解決するための手段】
【０００６】
前述した目的を達成するために、請求項１記載の発明は、繰出し操作することにより、収納筒内に収納される複数の軸体の中から選択された軸体を前進させてその軸体の先端を収納筒の先端から突出させた使用可能状態と、すべての軸体の先端を収納筒内に収納する収納状態とに切り替え可能な複合軸体保持具において、
収納筒内には、それぞれの軸体の先端を使用可能状態と収納状態との間で軸体を前後に誘導するガイド部が設けられることを特徴とする。
【０００７】
請求項２記載の発明は、繰出し操作することにより、収納筒内に収納される複数の軸体の中から選択された軸体を前進させてその軸体の先端を収納筒の先端から突出させた使用可能状態と、すべての軸体の先端を収納筒内に収納する収納状態とに切り替え可能な複合軸体保持具において、
収納筒内には、それぞれの軸体を使用可能状態と収納状態との間で前後に一直線上に誘導するガイド部が設けられることを特徴とする。
【０００８】
請求項３記載の発明は、請求項１または２記載の前記ガイド部が、収納筒内に収納された複数の軸体同士の間に設けられることを特徴とする。
【０００９】
請求項４記載の発明は、請求項１ないし３のいずれか１項に記載の収納筒の先端に、それぞれの軸体の先端が突出するための開口がそれぞれ形成されることを特徴とする。
【００１０】
請求項５記載の発明は、請求項４記載のものにおいて、前記開口が、前記収納筒の軸心から偏心した位置に配置されることを特徴とする。
【００１１】
請求項６記載の発明は、請求項１ないし５のいずれか１項に記載のものにおいて、収納筒のガイド部が設けられた少なくとも一部の横断面の外輪郭形状は、非円形形状であることを特徴とする。
【００１２】
請求項７記載の発明は、請求項１ないし６のいずれか１項に記載のものにおいて、前記ガイド部には、軸体の使用可能状態において、前記軸体のそれ以上の前進を阻止する前進阻止部が設けられることを特徴とする。
【発明の効果】
【００１３】
請求項1記載の発明によれば、ガイド部によってそれぞれの軸体の先端が使用可能状態と収納状態との間で前後に誘導されるので、他の軸体との干渉を避けることができる。
【００１４】
請求項２記載の発明によれば、ガイド部によってそれぞれの軸体の先端が使用可能状態と収納状態との間で前後に一直線上に誘導されるので、軸体が前後に移動する際に、折れ曲がることがなく、軸体の損傷を防ぐことができる。
【００１５】
請求項３記載の発明によれば、ガイド部が軸体同士の間に設けられているので、ある軸体が前後に移動する際には、ある軸体以外の軸体がその軸体を前後に誘導し、別の軸体が前後に移動する際には、別の軸体以外の軸体がその別の軸体を前後に誘導することができる。
【００１６】
請求項４記載の発明によれば、それぞれの軸体にそれぞれ専用の開口が設けられているために、他の軸体との干渉を避けることができ、色移りなどを防ぐことができる。
【００１７】
請求項５記載の発明によれば、開口が偏心した位置に配置されることで、軸体が使用可能状態において折れ曲がることがなく、軸体の損傷を防ぐことができる。
【００１８】
請求項６記載の発明によれば、収納筒の少なくとも一部の外輪郭形状が非円形形状であることによって把持しやすく、軸体の本数によっては、ガイド部の部分の肉厚が厚くなることが防止されて、ひけ防止を図ることができる。
【００１９】
請求項７記載の発明によれば、軸体の使用可能状態において、その前進阻止部によって軸体の前進位置を維持することができ、且つ、そのときに、軸体に曲げモーメントなどの力が作用することを防ぐことができる。
【発明を実施するための最良の形態】
【００２０】
以下、図面を用いて本発明の実施の形態を説明する。尚、以下の実施形態は本発明を限定するものではない。
【００２１】
図１は本発明の実施形態に係る複合軸体保持具を表す全体図、図２及び図３はその縦断面図並びに図４は平面図である。
【００２２】
複合軸体保持具１０は、収納筒１２と操作筒１４とを有している。収納筒１２と操作筒１４とは、ガイド筒１８を介して連結されており、操作筒１４は、収納筒１２に対して相対的に回転、ノック及び着脱可能に連結される。
【００２３】
具体的には、図５に示したように、収納筒１２の後端内周面に形成された軸方向に伸びる縦溝１２ｅに、ガイド筒１８の先端外周面に形成された縦リブ１８ｄが着脱可能に嵌合するようになっており、収納筒１２をガイド筒１８に対して取り付けた後は、収納筒１２とガイド筒１８とは回転方向に一体化される。但し、収納筒１２に縦リブを、ガイド筒１８に縦溝を形成することも可能である。
【００２４】
ガイド筒１８は、操作筒１４の後内部を後方に延びており、その後端には、操作筒１４の内部に形成された環状段部１４ａに係止する一対の係止部１８ａを備えている。ガイド筒１８は、その係止部１８ａが環状段部１４ａに係止することで、操作筒１４に対して回動可能に且つ所定範囲で軸方向に相対移動可能に連結される。操作筒１４内に挿入されたガイド筒１８には、その部分に複数の軸線方向に伸びるガイド溝１８ｂが形成されている。
【００２５】
また、操作筒１４の内周面にはカム係合突起１４ｃ（図２に点線で示す）が形成されており、該カム係合突起１４ｃは軸線方向に伸びている。
【００２６】
また、操作筒１４の後端には尾栓２６が取り付けられており、この尾栓２６の後端内面から軸線上に伸びる中心軸２６ａの先端が、前記ガイド筒１８の一対の係止部１８ａ内に挿入されており、この中心軸２６ａによって係止部１８ａが不用意に内方に倒れて、環状段部１４ａからの係止が外れることを防止している。
【００２７】
収納筒１２には、複数、この例では２本の軸体２０、２０が収納されている。軸体２０は、この例では、それぞれ棒状物である芯３０と、芯３０を繰出す繰出機構３２を備えている。図６に示したように、芯３０には、その後部に細棒３４の先端が差し込まれて、細棒３４が連結されており、繰出機構３２はその細棒３４を所定量ずつ繰出すことにより芯３０を繰出すものである。そのために繰出機構３２は、細棒３４を締着しまたは締着を緩めるチャック３６と、チャック３６の外周側にあってチャック３６を締め付け可能なチャックリング３８と、チャックリング３８の後方への移動を規制するスリーブ４０と、スリーブ４０に螺着されると共にチャック３６及びチャックリング３８を内部に収納する先具４１と、チャック３６の後端が圧入される継手４３と、継手４３に連結されて細棒３４の後端が収納されるパイプ４２と、スリーブ４０と継手４３の先端との間に介挿されチャック３６を後方へと付勢するチャックスプリング４４と、スリーブ４０の先端に螺着されて、芯３０の周囲を保護する保護パイプ４６と、先具４１内において細棒３４を保持するパッキン４８と、を備えている。保護パイプ４６は、その前部が小径で、後部が大径となっており、その境界部分は前方に面した段部４６ａとなっている。チャック３６は、スリーブ４０に対して相対前進後退可能となっている。尚、先具４１、保護パイプ４６及びスリーブ４０のいずれかまたは全ては一体品とすることもでき、また、継手４３及びパイプ４２も一体品とすることができる。さらには、パッキン４８は省略可能である。
【００２８】
軸体２０のパイプ４２の後端には、スライダ２２が連結される。スライダ２２は、それぞれガイド筒１８の対応する前記ガイド溝１８ｂに摺動可能に嵌入されている。ガイド筒１８の長手方向中央部に形成された鍔部１８ｃとスライダ２２との間には、リターンスプリング２４が介挿されており、該リターンスプリング２４はスライダ２２を常時後方へと付勢している。
【００２９】
複数のスライダ２２は、それぞれ互いに摺接しながら且つガイド溝１８ｂに誘導されながら操作筒１４内を前後に移動可能となっている。そして、操作筒１４の内周面に対向する各スライダ２２の外周面には、軸線方向に対して傾斜したカム面２２ａが形成されている。このカム面２２ａは、前記操作筒１４のカム係合突起１４ｃの先端に摺接するようになっている。また、カム面２２ａの最後端には係止凹部２２ｂ(図３に点線で示す)が形成されており、この係止凹部２２ｂには、前記カム係合突起１４ｃの先端が係止可能となっている。
【００３０】
前述のように軸体２０が収納される収納筒１２の内部の先部には、軸体２０の本数にあわせて複数のガイド部１２ａが形成される。このガイド部１２ａは、図７ないし図９に示したように、横断面が円形の長孔であり、軸線方向に直線状に伸びて、前記ガイド筒１８のガイド溝１８ａに一直線に整列する。ガイド部１２ａは、図示の例では、収納筒１２の後方から前後方向途中までは、隣接するガイド部１２ａと結合した形状となっているが、前後方向途中から先端までは、隣接するガイド部１２ａと完全に分離している。完全に分離する部分を収納筒１２のほぼ全長に渡って設けることもできる。この例のように、収納筒１２の少なくとも先端部においては、複数のガイド部１２ａが互いに完全に分離しているとよい。
【００３１】
そして、ガイド部１２ａの先端は、軸体２０の先端が突出可能な開口１２ｂとなっている。よって、開口１２ｂは、軸体２０毎にそれぞれ専用に設けられており、軸心から偏心して位置付けられる(図６参照)。ガイド部１２ａには、前進阻止部としての後方に面した段部１２ｄが形成されている(図２参照)。
【００３２】
また、図４ないし図９に示したように、収納筒１２の外輪郭は、ガイド部１２ａの形状に合致するように、その側面の一部が削られた非円形の扁平な形状の扁平部１２ｃとなっている。これにより、収納筒１２のガイド部１２ａにおける肉厚が厚くなりすぎるのを防ぎ、成形時のヒケを防止することができる。
【００３３】
以上のように構成される複合軸体保持具１０の作用を説明する。軸体２０を使用していない収納状態にあるときには、図３に示すように、それぞれの軸体２０の先端は、ガイド部１２ａ内にあって、収納筒１２内に収納されている。各軸体２０は、収納筒１２内において軸心からずれた偏心した位置にある。また、このときには、操作筒１４のカム係合突起１４ｃの先端は、各スライダ２２のカム面２２ａの最前方位置付近にある。
【００３４】
一方、いずれかの軸体２０を使用する場合には、操作筒１４を収納筒１２に対していずれかの方向に回転する繰出し操作を行う。これにより、収納筒１２と一体的に回転するガイド筒１８と操作筒１４との間に相対回転が発生し、さらには、ガイド筒１８に相対回転不能なスライダ２２と操作筒１４との間に相対回転が発生するので、いずれかのスライダ２２のカム面２２ａが操作筒１４のカム係合突起１４ｃの先端を摺接し、リターンスプリング２４の付勢力に抗して前方へと移動する。しかして、このスライダ２２に連結された軸体２０が前進して、軸体２０の先端は、収納筒１２のガイド部１２ａを移動し開口１２ｂから突出する。そして、スライダ２２のカム面２２ａの最後端にある係止凹部２２ｂが操作筒１４のカム係合突起１４ｃに係止すると、スライダ２２はその位置に保持されて、軸体２０の先端は収納筒１２の開口１２ｂから突出した状態を維持するので、図２に示すように軸体２０の芯３０の先端を使用することができる使用可能状態となる。
【００３５】
この軸体２０が収納状態と使用可能状態との間で移動するときに、収納筒１２内で偏心した状態を維持したまま直線上を移動するため、軸体２０は折れ曲がることがなく、軸体２０の損傷を防ぐことができる。また、軸体２０の先端が他方の軸体２０や収納筒１２の内周面に接触することはなく、開口１２ｂも個別となっているため、他の軸体２０との干渉を避けることができ、色移りや材料の混入などを防ぐことができる。
【００３６】
軸体２０の使用可能状態においては、軸体２０の保護パイプ４６の段部４６ａが収納筒１２のガイド部１２ａに当接して、それ以上の前進ができないようになっている。軸体２０の芯３０を使用しているうちに芯３０が消耗した場合には、操作筒１４を収納筒１２に対してノックすると、操作筒１４のカム係合突起１４ｃがスライダ２２をノックし、スライダ２２は繰出機構３２のパイプ４２を前方へと押し出す。このときに、保護パイプ４６の段部４６ａがガイド部１２ａの段部１２ｄに当接しているため、保護パイプ４６と一体となるスリーブ４０に対してパイプ４２に連結されたチャック３６が相対的に前進して細棒３４の締着を緩めるため、チャック３６が細棒３４を所定量送り出すことができる。こうして、芯３０が前進へと送り出される。保護パイプ４６及びこれと一体となったスリーブ４０は、ガイド部１２ａに対してほぼ垂直に当接することができるため、ノック動作の際に、軸体２０に曲げモーメントを発生させることを防ぐことができる。
【００３７】
収納筒１２の形状が扁平となっているために持ちやすく、使用可能状態にある軸体２０が偏心した位置から突出していても、使いやすくなっている。
【００３８】
図１から図９までの例では、２本の軸体を収納しているが、これに限るものではなく、３本以上の軸体がある場合も同様に適用可能である。この軸体として棒状の芯を保持するものに限らず、筆記用、化粧用のインキ等の液体を保持するものとすることも可能である。
【００３９】
図１０は他の実施形態を表す部分切断斜視図である。以上の実施形態では、ガイド部が収納筒１２の内周面に形成されており、言い換えれば、ガイド部が収納筒１２と軸体２０との間に設けられていたが、図９の例では、ガイド部が軸体２０と軸体２０との間に設けられている。即ち、軸体２０の棒状物３０以外の外周面には、隣接する軸体２０に摺動する平坦で且つ軸方向に伸びる摺動面２０ａが形成されており、ある軸体２０の摺動面２０ａが隣接する軸体２０の摺動面２０ａを摺動するようになっている。これによって、一方の軸体２０が移動するときには、他方の軸体２０がその一方の軸体２０を使用可能状態と収納状態との間で前後に誘導することができる。移動するべき軸体２０が交代して他方の軸体２０となると、他方の軸体２０を一方の軸体２０が使用可能状態と収納状態との間で前後に誘導する。
【００４０】
図１１は、図１０の変形例であり、ガイド部が、軸体と軸体との間に設けられると共に、収納筒と軸体との間にも設けられており、具体的には、軸体２０に形成された摺動面２０ａと、収納筒１２の内周面に形成された軸方向の縦溝１２ａと、軸体２０に形成され該縦溝１２ａに摺動可能に嵌入される縦リブ２０ｂとから構成される。これによって、移動するべき軸体２０を使用可能状態と収納状態との間で前後に誘導することができる。尚、縦リブを収納筒に、縦溝を軸体に形成することも可能である。
【００４１】
図１２は、図１０のさらに変形例であり、収納筒１２に収納される軸体２０が３本となっている例である。ある軸体２０の摺動面２０ａが隣接する軸体２０の摺動面２０ａを摺動するようになっている。これによって、移動するべき一つの軸体２０を残りの２つの軸体２０が使用可能状態と収納状態との間で前後に誘導することができる。移動するべき軸体２０が交代して別の軸体２０となると、別の軸体２０をそれ以外の残りの軸体２０が使用可能状態と収納状態との間で前後に誘導する。
【００４２】
以上の実施形態では、操作筒を収納筒に対して回転することにより、軸体を選択的に繰出すことができるようになっていたが、これに限るものではなく、操作部を収納筒に対してノックする等の任意の操作により、繰出し操作することができるものにも適用可能である。
【００４３】
以上の実施形態において、棒状物３０の芯としては、アイライナー、リップライナー、アイブロウライナー、鉛筆芯、消しゴム芯等の任意の棒状物とすることができ、化粧用、筆記用の複合軸体保持具を構成することができる。特に、ガイド部１２ａによって軸体が衛生的に保たれるため、化粧用として好適である。
【図面の簡単な説明】
【００４４】
【図１】本発明の実施形態に係る複合軸体保持具を表す全体図である。
【図２】１つの軸体が使用可能状態にあるときの図１の複合軸体保持具の縦断面図である。
【図３】すべての軸体が収納状態にあるときの図２と１８０度反対側を切って見た縦断面図である。
【図４】図１の平面図である。
【図５】収納筒を操作筒から外した状態を表す図である。
【図６】軸体の部分縦断面図である。
【図７】図１の複合軸体保持具の正面図である。
【図８】図１の８−８線に沿って見た横断面図である。
【図９】収納筒及び軸体の切断斜視図である。
【図１０】他の実施形態を表す部分切断斜視図である。
【図１１】図１０の変形例を表す部分切断斜視図である。
【図１２】図１０のさらなる変形例を表す部分切断斜視図である。
【符号の説明】
【００４５】
１０  複合軸体保持具
１２  収納筒
１２ａ  ガイド部
１２ｂ  開口
１２ｄ  前進阻止部
１４  操作筒
２０  軸体
２０ａ  ガイド部
３０  芯
３２  繰出機構
３４  細棒
３６  チャック
４０  スリーブ
４４  チャックスプリング
【図１】
2005246871.tif 000003
【図２】
2005246871.tif 000004
【図３】
2005246871.tif 000005
【図４】
2005246871.tif 000006
【図５】
2005246871.tif 000007
【図６】
2005246871.tif 000008
【図７】
2005246871.tif 000009
【図８】
2005246871.tif 000010
【図９】
2005246871.tif 000011
【図１０】
2005246871.tif 000012
【図１１】
2005246871.tif 000013
【図１２】
2005246871.tif 000014